(57)【要約】【課題】  この発明は、面戸板支持具に係り、特に雨水を堰止めしない面戸板支持具を提供することを目的としている。【解決手段】  平板２の前部に、前板３と後板４と底板５とで面戸板嵌挿溝６が長手に沿って形成された支持具１であって、平板２の下面または上面のいずれかに沿って、後部から面戸板嵌装溝６の前板３前部にかけて貫通する欠損部８が、長手方向に間歇的に複数形成されている面戸板支持具１。【選択図】    図１
2006016917.tif 000002
【特許請求の範囲】
【請求項１】
平板の前部に、前板と後板と底板とで面戸板嵌挿溝が、長手に沿って形成された支持具であって、平板の下面または上面のいずれかに沿って、後部から面戸板嵌装溝の前板前部にかけて貫通する欠損部が、長手方向に間歇的に複数形成されていること、を特徴とする面戸板支持具。
【請求項２】
平板の前部に、前板と後板と底板とで面戸板嵌挿溝が長手に沿って形成された支持具であって、平板の下面に長手に沿う複数の突条が並列形成され、該各突条には、長手方向で間歇的に複数の欠損部が、前後に貫通形成されていること、を特徴とする面戸板支持具。
【請求項３】
平板の前部に、前板と後板と底板とで面戸板嵌挿溝が長手に沿って形成された支持具であって、平板の下面に、前後を向く突条が、長手に沿って所定間隔置きに複数並列形成されていること、を特徴とする面戸板支持具。
【請求項４】
平板の前部に、前板と後板と底板とで面戸板嵌挿溝が長手に沿って形成された支持具であって、平板には長手に沿って間歇的に浮上段差部が複数形成され、該浮上段差部の下後部から、面戸板嵌装溝の前板前部にかけて、貫通する欠損部が形成されていること、を特徴とする面戸板支持具。
【請求項５】
平板の前部に、前板と後板と底板とで面戸板嵌挿溝が、長手に沿って形成された支持具であって、面戸板嵌挿溝には、長手に沿って間歇的に、後板の後面から前板前部にかけて貫通する欠損部が、その下部を平板の上面に接して、複数形成されたことを特徴とする面戸板支持具。
【請求項６】
平板の前部に、前板と後板と底板とで面戸板嵌挿溝が長手に沿って形成され、該嵌装溝の後部に台部が形成された支持具であって、該台部には長手に沿って間歇的に、台部の後面から前板前部にかけて貫通する欠損部が、その下部を平板の上面に接して、複数形成されたことを特徴とする面戸板支持具。
【請求項７】
前記面戸板嵌挿溝の前板と後板の間に、境界壁が長手に沿って形成されて２重溝に形成されていることを特徴とする、請求項１〜６の何れかに記載された面戸板支持具。
【発明の詳細な説明】
【技術分野】
【０００１】
本発明は、屋根に使用される面戸板支持具に係り、特に平板の下面又は上面に沿って、後方から面戸嵌装溝の前部にかけて貫通する欠損部が、長手方向に間歇的に複数形成されている面戸板支持具に関する。
【背景技術】
【０００２】
面戸板支持具は、平板の前部に長手に沿って、面戸板嵌装溝が形成されている。平板を野地板あるいは鼻桟等の屋根材に、釘打ち固定される。
【発明の開示】
【発明が解決しようとする課題】
【０００３】
瓦葺屋根は、瓦の葺合わせ部から、風に押された雨水が中に入ることがあり、入った雨水はルーフイング紙の上を流下するが、雨水が瓦桟で止って、滲んだ水が屋根材を腐蝕させる原因になる。
しかし、面戸板支持具は、板厚が０．９ミリ程度という、薄い平板部分を野地板や瓦桟に密接させて、固定する形態であるため、流下した雨水が面戸板支持具で堰止められ、特に台部を有する面戸板支持具は、雨水を堰止めるため、軒先の腐蝕を招くという不具合いが生じる。
この発明は、面戸板支持具による、雨水の堰止めを解消することを目的としている。
【課題を解決するための手段】
【０００４】
この発明は、特に平板の下面又は上面に沿って、後部から面戸嵌装溝の前部にかけて貫通する欠損部が、長手方向に間歇的に複数形成されている、面戸板支持具を提供することを目的としている。発明の具体的な内容は次の通りである。
【０００５】
(1)   平板の前部に、前板と後板と底板とで面戸板嵌挿溝が、長手に沿って形成された支持具であって、平板の下面または上面のいずれかに沿って、後部から面戸板嵌装溝の前板前部にかけて貫通する欠損部が、長手方向に間歇的に複数形成されている面戸板支持具。
【０００６】
(2)  平板の前部に、前板と後板と底板とで面戸板嵌挿溝が、長手に沿って形成された支持具であって、平板の下面に長手に沿う複数の突条が並列形成され、該各突条には、長手方向で、間歇的に複数の欠損部が前後に貫通して形成されている、面戸板支持具。
【０００７】
(3)  平板の前部に、前板と後板と底板とで面戸板嵌挿溝が、長手に沿って形成された支持具であって、平板の下面に、前後を向く突条が、長手に沿って所定間隔置きに複数並列形成されている、面戸板支持具。
【０００８】
(4)  平板の前部に、前板と後板と底板とで面戸板嵌挿溝が、長手に沿って形成された支持具であって、平板には長手に沿って間歇的に浮上段差部が複数形成され、該浮上段差部の下後部から面戸板嵌装溝の前板前部にかけて貫通する、欠損部が形成されている面戸板支持具。
【０００９】
(5)  平板の前部に、前板と後板と底板とで面戸板嵌挿溝が、長手に沿って形成された支持具であって、面戸板嵌挿溝には長手に沿って間歇的に、後板の後面から前板前部にかけて貫通する欠損部が、その下部を平板の上面に接して、複数形成された面戸板支持具。
【００１０】
(6)  平板の前部に、前板と後板と底板とで面戸板嵌挿溝が、長手に沿って形成され、該嵌装溝の後部に台部が形成された支持具であって、該台部には長手に沿って間歇的に、台部の後面から前板前部にかけて貫通する欠損部が、その下部を平板の上面に接して、複数形成された面戸板支持具。
【００１１】
(7)  前記面戸板嵌挿溝の前板と後板の間に、境界壁が長手に沿って形成されて２重溝に形成されている、前記(1)〜(6)の何れかに記載された面戸板支持具。
【発明の効果】
【００１２】
本発明によると次のような効果がある。
【００１３】
請求項１に記載された発明の面戸板支持具は、屋根に使用した時、平板の上面又は下面に沿って、後部から面戸板嵌挿溝の前面に貫通する欠損部が、長手に沿って間歇的に複数形成されているので、瓦からの漏水は欠損部から外へ排出される。
【００１４】
(2)  請求項２に記載された発明の面戸板支持具は、前部に面戸板嵌挿溝を形成した平板の下面に、長手に沿う複数の突条が並列形成され、該突条には、長手方向で間歇的に複数の欠損部が形成されているので、屋根軒先材の上に平板を固定しても、平板は突条の高さだけ上に位置しており、該突条に間歇的に欠損部が複数形成されているので、瓦の隙間から入って流下する雨水を、欠損部から下流に排出することができる。また、複数の突条に欠損部を形成するようにしたので、押出成形品でも欠損部を容易に形成することができる。
【００１５】
(3)  請求項３に記載された発明の面戸板支持具は、平板の下に前後方向を向く突条が、長手に沿って複数並列して形成されたので、ルーフイング紙の上に平板を重ねて使用すると、ルーフイング紙の上を流下した雨水は、平板の下で突条と突条の間の欠損部から外に排出される。
【００１６】
(4)  請求項４に記載された発明の面戸板支持具は、平板に長手に沿って間歇的に浮上段差部が形成され、該浮上段差部から面戸板嵌装溝の前板前部にかけて貫通する、欠損部が形成されたので、ルーフイング紙の上に平板を重ねて使用すると、ルーフイング紙の上を流下した雨水は、浮上段差部の下から面戸板嵌装溝の前板前部にかけて貫通する、欠損部を通過して外に排出される。
【００１７】
(5)  請求項５に記載された発明の面戸板支持具は、面戸板嵌挿溝には長手に沿って間歇的に、後板の後面から前板前部にかけて貫通する欠損部が、その下部を平板の上面に接して、形成されたので、面戸板支持具の平板の上に、ルーフイング紙を被せるようにして使用すると、ルーフイング紙の上を流下した雨水は、面戸板嵌装溝の後板から前板前部にかけて貫通する欠損部を、通過して外に排出される。
【００１８】
(6)  請求項６に記載された発明の面戸板支持具は、台部には長手に沿って間歇的に、台部の後面から前板前部にかけて貫通する欠損部が、その下部を平板の上面に接して、形成されたので、平板の上に、ルーフイング紙を被せるようにして使用すると、ルーフイング紙の上を流下した雨水は、台部の後から前板前部にかけて貫通する欠損部を、通過して外に排出される。
【００１９】
(7)  請求項７に記載された発明の面戸板支持具は、面戸板嵌挿溝の中に、境界壁が長手に沿って形成され２重溝が形成されているので、瓦の幅より長い面戸でも、端部を切断する事なく、隣同士で前後の嵌装溝に嵌装させることができる。
【発明を実施するための最良の形態】
【００２０】
前部に面戸板嵌挿溝を有する平板の下面、または上面に沿って、後部から面戸板嵌挿溝前部に貫通する欠損部が、長手方向に間歇的に複数形成される。
【実施例１】
【００２１】
本願発明の実施の形態例を、図面を参照して説明する。図１は本発明に係る面戸板支持具の実施例１を示す右側面図、図２はその正面図である。
【００２２】
図において面戸板支持具(1)は、押出成形により製造され、正面で左右に長い平板(2)の先端部に前板(3)が立設されている。
該前板(3)の後部に、面戸板（Ａ）の板厚より広い間隔を開けて、後板(4)が立設されて、前板(3)と後板(4)と底板(5)とで、面戸板嵌挿溝(6)が形成されている。
【００２３】
後板(4)の後部には、台板(9a)と背板(9b)とで台部(9)が形成されている。平板(2)の幅は例えば１０ｍｍ〜５０ｍｍ程度、板厚は０．９ｍｍ程度、長さは９００〜１２００ｍｍ、あるいは２０００ｍｍに設定される。
面戸板嵌挿溝(6)における後板(4)の前上部に、面戸板（Ａ）の抜出しを防止する係止突条(4a)が、長手に沿って形成されている。
【００２４】
平板(2)の下面には、長手に沿って、幅厚の薄い突条(7)が複数形成されている。該突条(7)の板厚は、例えば０．９ｍｍ、高さは３ｍｍである。
図２において、突条(7)には、長手方向に所定の間隔をおいて、間歇的に欠損部(8)が複数形成されている。また平板(2)の上部に複数の突条(2a)が、長手に沿って形成されている。この上面の突条(2a)は、釘打時に釘打する位置の目標となり、また釘が前後に滑らないように形成されたものである。
【００２５】
図１に示す面戸板支持具(1)の形状は、押出成形により長く引出され、所定の長さに裁断される。欠損部(8)は、別工程で形成される。その場合、平板(2)の板厚が突条(7)の高さを含む厚さであると、欠損部(8)の形成工程が困難となる。
しかし本発明では、突条(7)の板厚が０．９ｍｍ程度の薄いものであり、本数も少ないので、カッターなどによる欠損部(8)の形成工程が容易にできる。
【００２６】
図３は、欠損部(8)の形成工程の略示的装置の側面図である。図３において図示しない押出成形機から押出された面戸板支持具(1)は、台（Ｂ）上にあり、流体圧シリンダ（Ｃ）からピストン（Ｄ）が前進すると、正面門型のカッターＥが、平板(2)下面の突条(7)を、所定のカッター（Ｅ）幅だけカットして、欠損部(8)が形成される。
【００２７】
ピストン（Ｄ）が元に戻ると、面戸板支持具(1)は台（Ｂ）上を所定の長さを移動して、再度欠損部(8)の形成工程が行われて継続される。押出されたばかりの面戸板支持具(1)は、まだ柔らかいので、カッテイングは容易で、またカツタ（Ｅ）の移動は３ｃｍ程度なので、瞬時にカッテイグができる。その後ローラによる、突条(7)の整形処理を経て冷却処理される。
【００２８】
図４は、欠損部(8)の、別の形成工程の略示的装置の側面図である。図において、レール（Ｆ）上に移動可能に切断砥石（Ｇ）が配設されている。回転している切断砥石（Ｇ）を移動させることによって、平板(2)下面の突条(7)を、長手方向で間歇的に、所定の切断砥石（Ｇ）の幅だけカットして、欠損部(8)が形成される。これは硬化している面戸板支持具(1)について有効である。
【００２９】
その他の方法としては、加熱歯車によって突条(7)を押圧して、欠損部(8) を形成することが可能である。また、押出成形でなく、射出成形、真空成形等型成形では、欠損部も型により同時に成形することができる。実施例２以下に示す物も同様である。
【実施例２】
【００３０】
図５は、本発明の実施例２を示す面戸板支持具(1)の右側面図で、図６はその背面図である。前例と同じ部位には、同じ符号を付して、説明を省略する。
この実施例は、平板(2)の前部に面戸板嵌装溝(6)が、前板(3)と後板(4)と底板(5)によって形成されている。
【００３１】
後板(4)は、下部を長く設定されて、軒先をカバーすることができる。また後板(4)の上部は、単独で台部(9)を兼ねている。平板(2)の下面には、複数の突条(7)が、長手に沿って並列形成されている。突条(7)の下部には、背面において長手方向に、間歇的に複数の欠損部(8)が前後に貫通形成されている。
【００３２】
この構成で、使用時にルーフイング紙の上に、平板(2)を重ねて配設するとき、ルーフイング紙の上を流下する漏水は、突条(7)に形成された欠損部(8)から外へ排水される。この場合、欠損部(8)と同水準に後板(4)、前板(3)に、前後に貫通する欠損部を形成することができる。
【００３３】
この実施例２の形状で、面戸板嵌装溝(6)の中央部に、図７に例示する境界壁(6a)を形成して、２条の面戸板嵌装溝を、形成することができる。
これによって、図示しない左右に並ぶ面戸板を交互に、前後の面戸板嵌装溝(6)に、嵌装させることによって、長さの長い面戸板も使用することができる。
【実施例３】
【００３４】
図７は、本発明の実施例３を示す、面戸板支持具(1)の右側面図で、図８はその背面図である。前例と同じ部位には、同じ符号を付して、説明を省略する。
この実施例は、平板(2)の前部に、面戸板嵌装溝(6)が形成されており、前板(3)と後板(4)の間に、境界壁(6a)が配設され、２条の面戸板嵌装溝(6)が形成されているものである。       
【００３５】
また平板(2)の下面に、複数の突条(7)が、長手に沿って並列形成されている。該突条(7)の下部には、図８に示すように、長手に沿って、間歇的に欠損部(8)が複数形成されている。２条の面戸板嵌装溝(6)については、実施例２において説明した通りである。
【００３６】
このように、面戸板支持具(1)は、平板(2)の板厚が例えば０．９ミリ程度の薄いものであり、屋根材に密接して固定される時、上からの漏水を捌かすことが困難であったが、平板(2)の下面に突条(7)を形成したことによって、突条(7)に欠損部(7a)を形成することが出来、ルーフイング紙の上を流下する漏水を、欠損部(7a)から容易に排水することができる。この場合、後板(4)、前板(3)に、欠損部(8)と同水準に、前後に貫通する欠損部を形成することができる。
【００３７】
従って、この発明は、前記実施例に示す面戸板支持具(1)の形状に限らず、どのような形態のものでも、平板(2)の前部に面戸板嵌装溝(6)が形成された、面戸板支持具(1)の全てにおいて、平板(2)の下面に突条(7)を形成し、これに欠損部(8)を形成することができる。
【００３８】
なお、図５並びに図７に示される、面戸板支持具(1)の後板(4)の背面に、複数の突条を長手に沿って形成し、これに縦方向の欠損部を形成させることもできる。
平板(2)と後板(4)の交角は９０度のほか、広狭任意に設定することができる。また図７の構成において、平板(2)の前上部に台部を形成することができる。
【実施例４】
【００３９】
図９は本発明の実施例４を示す、面戸板支持具の背面斜視図である。前例と同じ部位には、同じ符号を付して、説明を省略する。
この実施例４は、台部(9)の背板(9b)の長手方向に、間歇的に複数の欠損部(8)が、平板(2)の上面に沿って、後部から前板(3)前部にかけて貫通形成されている。
【００４０】
欠損部(8)は、台部(9)においては、上から下まで切欠いてあり、前板(3)は横穴状であるが、これは射出成形などでは容易に形成することができる。押出成形においては、台部(9)の欠損部(8)は、横穴状に穿孔することができる。    
【００４１】
この実施例４の面戸板支持具(1)は、屋根に使用される時、平板(2)の上にルーフイング紙が被さるようにして使用される。これによって、瓦から漏れた雨水は、ルーフイング紙の上を流下して、欠損部(8)から前板(3)の前外部に排出される。
【実施例５】
【００４２】
図１０は実施例５を示す、面戸板支持具の背面斜視図である。前例と同じ部位には、同じ符号を付して、説明を省略する。この実施例５は、面戸板嵌装溝(6)の前板(3)と後板(4)に、長手方向に間歇的に複数の欠損部(8)が、平板(2)の上面に沿って、後方から前方へかけて貫通形成されている。射出成形などによれば容易に製造することができる。押出成形においても、カッターで形成することができる。
【００４３】
この実施例５の面戸板支持具(1)は、屋根に使用される時、平板(2)の上にルーフイング紙が被さるようにして使用される。これによって、瓦から漏れた雨水は、ルーフイング紙の上を流下して、欠損部(8)から面戸板嵌装溝(6)内に排出される。この場合、前板(3)の欠損部(8)については、底板(5)まで深く形成することにより、外に排水される。
【実施例６】
【００４４】
図１１は実施例６を示す、面戸板支持具の背面斜視図である。前例と同じ部位には、同じ符号を付して、説明を省略する。この実施例６の面戸板支持具(1)は、面戸板嵌装溝(6)の前板(3)と後板(4)に、長手方向に間歇的に複数の欠損部(8)が、平板(2)の上面に沿って、後方から前方へかけて、穴状に貫通形成されている。射出成形などによれば容易に製造することができる。押出成形においても、カッターで形成することができる。
【００４５】
この実施例６の面戸板支持具(1)は、屋根に使用される時、平板(2)の上にルーフイング紙が被さるようにして使用される。これによって、瓦から漏れた雨水は、ルーフイング紙の上を流下して、欠損部(8)から後板(4)を経て、面戸板嵌装溝(6)内に排出される。この場合、前板(3)の欠損部(8)については、底板(5)まで深く形成することにより、外に排水される。
【実施例７】
【００４６】
図１２は実施例７を示す、面戸板支持具の底面斜視図である。前例と同じ部位には、同じ符号を付して、説明を省略する。この実施例６の面戸板支持具(1)は、平板(2)の長手方向に、間歇的に複数の浮上段差部(2b)が形成されている。
該浮上段差部(2a)の後部から、底板(5)の下前方にかけて、欠損部(8)が連通して形成されており、射出成形などで容易に形成することができる。
【００４７】
この実施例７の面戸板支持具(1)は、屋根に使用される時、ルーフイング紙の上に平板(2)を重ねて使用される。これによって、瓦から漏れた雨水は、ルーフイング紙の上を流下して、浮上段差部(2b)から欠損部(8)を経て、外に排出される。この場合、前板(3)や後板(4)の下部を切欠いても、面戸板（Ａ）の支持には支承がない。
【実施例８】
【００４８】
図１３は実施例８を示す面戸板支持具の底面斜視図である。前例と同じ部位には、同じ符号を付して、説明を省略する。この実施例８の面戸板支持具(1)は、平板(2)に長手方向で間歇的に浮上段差部(2b)が複数形成されている。
【００４９】
前板(3)と後板(4)には、浮上段差部(2b)と前後に連通するように、欠損部(8)が形成されている。使用時には、ルーフイング紙の上に平板(2)を重ねて施工される。ルーフイング紙の上を流下する漏水は、浮上段差部(2b)から欠損部(8)を経て外へ排水される。
【実施例９】
【００５０】
図１４は、実施例９を示す面戸板支持具の後部斜視図である。前例と同じ部位には、同じ符号を付して、説明を省略する。この実施例９においては、平板(2)の下面に、前後方向を向く突条(7a)が、長手方向に複数、定間隔に並列して形成されて、各突条(7a)と突条(7a)の間に欠損部(8)が形成されている。また平板(2)の上面には、釘穴(2c)が複数、長手方向に所定間隔置きに形成されている。
【００５１】
この面戸板支持具(1)は、射出成形などにより容易に形成することができる。この面戸板支持具(1)は、ルーフイング紙の上に配設することによって、ルーフイング紙の上を流下する漏水は、平板(2)下の各突条(7a)と突条(7a)の間の欠損部(8)から外へ排水される。
【００５２】
なおこの発明は、前記実施例に限定されるものではなく、何れの形態の面戸板支持具にも適用される。
【産業上の利用可能性】
【００５３】
面戸板支持具全般に利用することができる。
【図面の簡単な説明】
【００５４】
【図１】本発明に係る実施例１の面戸板支持具の側面図である。
【図２】図１における正面図である。
【図３】本発明に係る面戸板支持具の欠損部形成方法を略示した側面図。
【図４】本発明に係る面戸板支持具の欠損部形成方法を略示した側面図。
【図５】本発明に係る実施例２の面戸板支持具の側面図である。
【図６】図５における背面図である。
【図７】本発明に係る実施例３の面戸板支持具の側面図である。
【図８】図７における背面図である。
【図９】本発明に係る実施例４の面戸板支持具の背後斜視図である。
【図１０】本発明に係る実施例５の面戸板支持具の背後斜視図である。
【図１１】本発明に係る実施例６の面戸板支持具の背後斜視図である。
【図１２】本発明に係る実施例７の面戸板支持具の底面斜視図である。
【図１３】本発明に係る実施例８の面戸板支持具の背後斜視図である。
【図１４】本発明に係る実施例９の面戸板支持具の背後斜視図である。
【符号の説明】
【００５５】
(1)面戸板支持具
(2)平板
(2a)突条
(2b)浮上部
(2c)釘穴
(3)前板
(4)後板
(5)底板
(6)面戸板嵌装溝
(7)(7a)突条
(8)欠損部
(9)台部
(9a)台板
(9b)背板
（Ａ）面戸板
（Ｂ）台
（Ｃ）シリンダ
（Ｄ）ピストン
（Ｅ）カッター
（Ｆ）レール
（Ｇ）切断砥石
【図１】
2006016917.tif 000003
【図２】
2006016917.tif 000004
【図３】
2006016917.tif 000005
【図４】
2006016917.tif 000006
【図５】
2006016917.tif 000007
【図６】
2006016917.tif 000008
【図７】
2006016917.tif 000009
【図８】
2006016917.tif 000010
【図９】
2006016917.tif 000011
【図１０】
2006016917.tif 000012
【図１１】
2006016917.tif 000013
【図１２】
2006016917.tif 000014
【図１３】
2006016917.tif 000015
【図１４】
2006016917.tif 000016